(57)【要約】【課題】  外来者が建物または施設における所定場所を訪問するのに外来者にとって有効な情報を提供する。【解決手段】  案内表示システム１は、外来者が携帯しているＩＣカード７に記録されている目的情報が案内表示装置２のリーダライタ２３により読取られると、リーダライタ２３の設置場所、つまり、外来者がＩＣカード７に記録されている目的情報を読取らせた場所から目的情報に対応する窓口（外来者が目的を達成し得る窓口）までの移動経路を表す見取り図を表示する。【選択図】  図１
2007079780.tif 000002
【特許請求の範囲】
【請求項１】
外来者が携帯可能に構成され、外来者の訪問の目的を表す目的情報が記録されている記録媒体と、
外来者が訪問する建物または施設に設けられ、前記記録媒体に記録されている目的情報を読取る読取手段と、
前記読取手段の設置場所から前記建物または前記施設における所定場所までの移動経路を保持する移動経路保持手段と、
前記移動経路保持手段に保持されている移動経路のうち前記読取手段の設置場所から前記読取手段により読取られた目的情報に対応する所定場所までの移動経路を案内情報として作成する案内情報作成手段と、
前記建物または前記施設に設けられ、前記案内情報作成手段により作成された案内情報を報知する案内情報報知手段とを備えたことを特徴とする案内報知システム。
【請求項２】
請求項１に記載した案内報知システムにおいて、
前記建物または前記施設の見取り図を保持する見取り図保持手段を備え、
前記案内情報作成手段は、前記見取り図保持手段に保持されている見取り図のうち前記前記読取手段の設置場所から前記読取手段により読取られた目的情報に対応する所定場所までの移動経路を表す見取り図を案内情報として作成することを特徴とする案内報知システム。
【請求項３】
請求項１または２に記載した案内報知システムにおいて、
前記読取手段は、前記建物または前記施設における複数の所定場所毎に設けられ、
前記複数の所定場所毎に設けられている複数の読取手段における前記記録媒体からの情報の読取履歴に基づいて各々の所定場所の混雑状況を収集する混雑状況収集手段と、
前記建物または前記施設に設けられ、前記混雑状況収集手段により収集された各々の所定場所の混雑状況を報知する混雑状況報知手段とを備えたことを特徴とする案内報知システム。
【請求項４】
請求項３に記載した案内報知システムにおいて、
前記案内情報作成手段は、外来者を複数の所定場所へ案内するための案内情報を作成する場合に、前記混雑状況収集手段により収集された各々の所定場所の混雑状況に基づいて混雑の程度が少ない所定場所への案内を優先するように案内情報を作成することを特徴とする案内報知システム。
【請求項５】
請求項１ないし４のいずれかに記載した案内報知システムにおいて、
前記記録媒体は、外来者を識別する外来者識別情報が記録され、
前記読取手段は、前記建物または前記施設における複数の所定場所毎に設けられていると共に前記記録媒体に記録されている外来者識別情報を読取り、
前記複数の所定場所毎に設けられている複数の読取手段における前記記録媒体からの情報の読取履歴に基づいて外来者が訪問する必要のあるものの未だ訪問していない未訪問場所を特定する未訪問場所特定手段と、
前記建物または施設に設けられ、前記未訪問場所特定手段により特定された未訪問場所を報知する未訪問場所報知手段とを備えたことを特徴とすることを特徴とする案内報知システム。
【発明の詳細な説明】
【技術分野】
【０００１】
本発明は、外来者が訪問する建物または施設において利用される案内報知システムに関する。
【背景技術】
【０００２】
外来者が建物または施設に外来した旨を管理するものとして、外来者にカードを持たせ、外来者が建物または施設に外来する毎に、外来者を識別する外来者識別情報や外来者の予定を表す外来者予定情報をカードに記録するようにしたものがある（例えば特許文献１参照）。
【特許文献１】特開２００３−３３７９６８号公報
【発明の開示】
【発明が解決しようとする課題】
【０００３】
ところで、外来者が例えば転出手続きを行うために市役所などを訪問する場合に、外来者は、転出手続きを行える窓口が何処にあるのかが判らなければ、例えば案内掲示板に頼って自分で探したり職員に聞いたりして転出手続きを行える窓口が何処にあるのかを知ることができる。しかしながら、外来者が得られる情報としては単に転出手続きを行える窓口が何階にあるのかなどの簡易なものであり、外来者にとって有効な情報が提供されるものではなかった。また、上記した特許文献１に記載されているものは、単に外来者が建物または施設に外来した旨を管理するものであり、これにおいても、外来者が窓口を訪問するのに有効な情報が提供されるものではなかった。
【０００４】
本発明は、上記した事情に鑑みてなされたものであり、その目的は、外来者が建物または施設における所定場所を訪問するのに外来者にとって有効な情報を提供することができ、外来者の利便性を高めることができる案内報知システムを提供することにある。
【課題を解決するための手段】
【０００５】
請求項１に記載した発明によれば、外来者が訪問する建物または施設において、記録媒体に記録されている目的情報が読取手段により読取られると、案内情報作成手段は、移動経路保持手段に保持されている移動経路のうち読取手段の設置場所から読取手段により読取られた目的情報に対応する所定場所までの移動経路を案内情報として作成し、案内情報報知手段は、その作成された案内情報を報知するように構成したので、読取手段の設置場所、つまり、外来者が記録媒体に記録されている目的情報を読取らせた場所から目的情報に対応する所定場所までの移動経路を報知することができ、外来者にとって有効な情報を提供することができ、外来者の利便性を高めることができる。
【０００６】
請求項２に記載した発明によれば、案内情報作成手段は、見取り図保持手段に保持されている見取り図のうち読取手段の設置場所から読取手段により読取られた目的情報に対応する所定場所までの移動経路を表す見取り図を案内情報として作成するように構成したので、外来者が記録媒体に記録されている目的情報を読取らせた場所から目的情報に対応する所定場所を表す見取り図を報知することができ、外来者にとってより有効な情報を提供することができる。
【０００７】
請求項３に記載した発明によれば、混雑状況収集手段は、記録媒体からの情報の読取履歴に基づいて各々の所定場所の混雑状況を収集し、混雑状況報知手段は、その収集された混雑状況を報知するように構成したので、各々の所定場所の混雑状況を外来者に提供することができる。
【０００８】
請求項４に記載した発明によれば、案内情報作成手段は、外来者を複数の所定場所へ案内するための案内情報を作成する場合に、混雑状況収集手段により収集された混雑状況に基づいて混雑の程度が少ない所定場所への案内を優先するように案内情報を作成するように構成したので、外来者にとって効率の良い訪問順序を提供することができる。
【０００９】
請求項５に記載した発明によれば、記録媒体に記録されている外来者識別情報が読取手段により読取られると、未訪問場所特定手段は、記録媒体からの情報の読取履歴に基づいて外来者が訪問する必要のあるものの未だ訪問していない未訪問場所として特定し、未訪問場所特定手段は、その特定された未訪問場所を報知するように構成したので、外来者が訪問する必要のあるものの未だ訪問していない場所を外来者に提供することができる。
【発明を実施するための最良の形態】
【００１０】
以下、本発明を、外来者が例えば転出手続き、印鑑証明手続き及び戸籍抄本発行手続きなどの諸手続きを行うために訪問する市役所に構築されている案内表示システムに適用した一実施形態について、図面を参照して説明する。図１は、案内表示システムの全体構成を概略的に示している。市役所に設置されている案内表示システム１は、複数台（本実施形態では８台）の案内表示装置２及び１台の上位ホスト３（本発明でいう案内情報作成手段、混雑状況収集手段、未訪問場所特定手段）がＬＡＮ４を介して接続されている。これら案内表示装置２は、外来者が例えば転出手続き、印鑑証明手続き及び戸籍抄本発行手続きなどの諸手続きを行える窓口（本発明でいう所定場所）や建物の出入口やエレベータの搭乗口などの外来者の往来が頻繁な場所に設置されている。
【００１１】
各々の案内表示装置２は、図２に示すように、制御部２１、通信部２２、リーダライタ２３（本発明でいう読取手段）、表示部２４（本発明でいう案内情報報知手段、混雑状況報知手段、未訪問場所報知手段）及び電源部２５を備えて構成されている。制御部２１は、ＣＰＵ、ＲＡＭ、ＲＯＭ及びＩ／Ｏバスなどから構成され、案内表示装置２の動作全般を制御する。通信部２２は、ＬＡＮ４との間のインタフェース機能を有し、他の案内表示装置２や上位ホスト３との間の通信動作を行う。リーダライタ２３は、外来者が携帯可能な非接触ＩＣカード（以下、単にＩＣカードと称する）７（本発明でいう記録媒体）との間で非接触通信を行い、ＩＣカード７に記録されている情報（データ）を読取ったりＩＣカード７に情報を書込んだりする。表示部２４は、例えば液晶ディスプレイから構成され、制御部２１からの表示指令に基づいて表示動作を行う。電源部２５は、例えば商用電源から供給される商用電力を制御部２１、通信部２２、リーダライタ２３及び表示部２４へ動作電力として供給する。
【００１２】
このように構成されてなる案内表示装置２は、図３に示すように、市役所の例えば通路に壁掛けられている態様で設置されており、外来者がＩＣカード７をリーダライタ２３に容易に翳すことが可能であり且つ外来者が表示部２４を容易に視認することが可能な位置に設置されている。また、各々の案内表示装置２には装置毎に固有の装置ＩＤが付与されている。
【００１３】
上位ホスト３は、複数の案内表示装置２を統括管理する統括管理装置として機能するもので、移動経路データベース５（本発明でいう移動経路保持手段）及び見取り図データベース６（本発明でいう見取り図保持手段）が接続されている。移動経路データベース５は、各々の案内表示装置２の設置場所から市役所内の各々の窓口までの移動経路をデータベース化して保持しており、見取り図データベース６は、市役所内の見取り図をデータベース化して保持している。
【００１４】
ＩＣカード７は、制御部７１、記憶部７２、復調部７３、変調部７４及び電源部７５を備えて構成されている。制御部７１は、ＣＰＵを主体として構成され、ＩＣカード７の動作全般を制御する。記憶部７２は、目的情報及びカード識別ＩＤ（本発明でいう外来者識別情報）が記憶されている。ここでいう目的情報は外来者が例えば転出手続きを行う旨の情報（市役所を訪問する目的を表す情報）であり、カード識別ＩＤはＩＣカード７に固有に付与されている識別子である。復調部７３は、アンテナコイル７６に受信された搬送波を復調して搬送波から情報を抽出し、変調部７４は、記憶部７２に記憶されている情報で搬送波を変調する。電源部７５は、アンテナコイル７６に受信された搬送波を整流して起動電力を生成し、その生成した起動電力を制御部７１、記憶部７２、復調部７３及び変調部７４へ供給する。
【００１５】
次に、上記した構成の作用について、図４ないし図１３を参照して説明する。最初に、上位ホスト３が案内情報を作成して案内表示装置２が案内情報を表示する場合について、図４ないし図６を参照して説明する。
【００１６】
案内表示装置２において、制御部２１は、電源部２５から動作電力が供給されているときには待受指令をリーダライタ２３へ出力し、リーダライタ２３からポーリング信号を間欠的に送信させている（ステップＳ１）。ここで、外来者がＩＣカード７を案内表示装置２のリーダライタ２３に翳した場合を想定する。ＩＣカード７は、リーダライタ２３に翳されて案内表示装置２から送信されたポーリング信号が受信されると、その記憶部７２に記憶されている目的情報及びカード識別ＩＤを読出し、その読出した目的情報及びカード識別ＩＤで搬送波を変調し、目的情報及びカード識別ＩＤを案内表示装置２へ送信する。
【００１７】
案内表示装置２において、制御部２１は、ＩＣカード７から送信された目的情報及びカード識別ＩＤがリーダライタ２３により読取ると（受信されると）（ステップＳ２にて「ＹＥＳ」）、その読取った目的情報及びカード識別ＩＤと自身に付与されている装置ＩＤとが含まれた案内情報表示要求を通信部２２からＬＡＮ４を介して上位ホスト３へ出力させる（ステップＳ３）。
【００１８】
上位ホスト３は、案内表示装置２から出力された案内情報表示要求が入力されると（ステップＴ１にて「ＹＥＳ」）、その入力された案内情報表示要求から目的情報、カード識別ＩＤ及び装置ＩＤを抽出し、目的情報、つまり、外来者が市役所を訪問した目的を識別する。そして、上位ホスト３は、移動経路検索要求を移動経路データベース５へ出力し（ステップＴ２）、案内情報表示要求の出力元である案内表示装置２の設置場所から目的情報に対応する窓口（目的情報により表される目的を外来者が達成し得る窓口）までの移動経路を検索する。
【００１９】
次いで、上位ホスト３は、移動経路データベース５から移動経路検索結果が入力され、案内表示装置２の設置場所から目的情報に対応する窓口までの移動経路が特定されると（ステップＴ３にて「ＹＥＳ」）、見取り図検索要求を見取り図データベース６へ出力し（ステップＴ４）、案内表示装置２の設置場所から目的情報に対応する窓口までの移動経路を表す見取り図を検索する。
【００２０】
そして、上位ホスト３は、見取り図データベース６から見取り図検索結果が入力され、案内表示装置２の設置場所から目的情報に対応する窓口までの移動経路を表す見取り図が特定されると（ステップＴ５にて「ＹＥＳ」）、その特定した見取り図を案内情報として作成し（ステップＴ６）、その作成した案内情報をＬＡＮ４を介して案内情報表示要求の出力元である案内表示装置２へ出力する（ステップＴ７）。
【００２１】
案内表示装置２において、制御部２１は、上位ホスト３から出力された案内情報が通信部２２に入力されると（ステップＴ４にて「ＹＥＳ」）、表示指令を表示部２４へ出力すし、その入力された案内情報を表示部２４に表示させる（ステップＴ５）。以上に説明した一連の処理により、外来者が例えば転出手続きを行うという目的情報が記憶されているＩＣカード７を案内表示装置２のリーダライタ２３に翳すと、その目的情報がリーダライタ２３により読取られ、図６に示すように、その目的情報を読取らせた案内表示装置２の設置場所、つまり、外来者が居る場所から転出手続きを行える窓口までの移動経路を表す見取り図が案内表示装置２の表示部２４に表示されることになる。
【００２２】
ところで、上記した案内表示システム１では、上記した案内情報を作成して表示する機能の他に、各々の窓口の混雑状況を収集して表示する機能、各々の窓口の受付時間を収集して表示する機能及び外来者が訪問する必要のあるものの未だ訪問していない未訪問窓口を特定して表示する機能を有しており、以下、これらの機能について順次説明する。
【００２３】
まず、各々の窓口の混雑状況を収集して表示する機能について、図７及び図８を参照して説明する。案内表示装置２において、制御部２１は、各々の窓口の混雑状況の表示を要求するトリガが発生すると、ＩＣカード７から読取った目的情報と装置ＩＤとが含まれた混雑状況表示要求を通信部２２からＬＡＮ４を介して上位ホスト３へ出力させる。この場合、混雑状況の表示を要求するトリガとしては例えば外来者が案内表示装置２に配置されている所定ボタン（図示せず）を操作することである。また、トリガの発生を条件とすることなく上記した案内情報を表示する処理を正常に終了した後に各々の窓口の混雑状況を収集して表示する処理を自動的に開始する構成であっても良い。
【００２４】
上位ホスト３は、案内表示装置２から出力された混雑状況表示要求が入力されると、その入力した混雑状況表示要求から目的情報を抽出し、読取履歴要求を各々の窓口に設置されている他の案内表示装置２のうち目的情報に該当する（外来者が訪問する必要のある）案内表示装置２へ出力する。
【００２５】
上位ホスト３から読取履歴要求を入力した案内表示装置２は、例えば所定時間前に遡って所定時間前から現時点までのリーダライタ２３の読取履歴を抽出し、その抽出した読取履歴をＬＡＮ４を介して上位装置３へ出力する。そして、上位ホスト３は、目的情報に該当する複数の案内表示装置２から出力された各々の案内表示装置２の読取履歴が入力されると、その入力した各々の案内表示装置２の読取履歴を集計し、読取回数の頻度を判定して各々の窓口の混雑状況を収集し、その収集した各々の窓口の混雑状況を案内表示装置２へ出力する。
【００２６】
案内表示装置２において、制御部２１は、上位ホスト３から出力された混雑状況が通信部２２に入力されると、表示指令を表示部２４へ出力し、その入力した混雑状況を表示部２４に表示させる。以上に説明した一連の処理により、外来者が例えば各々の窓口の混雑状況を表示するための所定ボタンを操作すると、図８に示すように、各々の窓口の混雑状況が案内表示装置２の表示部２４に表示されることになる。また、この場合、混雑の程度が少ない窓口から優先して訪問するように案内する案内ガイダンスが表示部２４に表示されても良い。
【００２７】
次に、各々の窓口の受付時間を収集して表示する機能について、図９及び図１０を参照して説明する。案内表示装置２において、制御部２１は、受付時間の表示を要求するトリガが発生すると、ＩＣカード７から読取った目的情報と装置ＩＤとが含まれた受付時間表示要求を通信部２２からＬＡＮ４を介して上位ホスト３へ出力させる。この場合、受付時間の表示を要求するトリガとしては、例えば外来者が案内表示装置２に配置されている所定ボタン（図示せず）を操作することなどである。また、この場合も、トリガの発生を条件とすることなく上記した案内情報を表示する処理を正常に終了した後に各々の窓口の受付時間を収集して表示する処理を自動的に開始する構成であっても良い。
【００２８】
上位ホスト３は、案内表示装置２から出力された受付時間表示要求が入力されると、その入力した受付時間表示要求から目的情報を抽出し、受付時間要求を各々の窓口に設置されている他の案内表示装置２のうち目的情報に該当する（外来者が訪問する必要のある）案内表示装置２へ出力する。
【００２９】
上位ホスト３から受付時間要求を入力した案内表示装置２は、例えば予め記憶されている自装置が設置されている窓口の受付時間を読出し、その読出した受付時間をＬＡＮ４を介して上位装置３へ出力する。そして、上位ホスト３は、目的情報に該当する複数の案内表示装置２から出力された各々の窓口の受付時間が入力されると、その入力した各々の窓口の受付時間を収集し、その収集した各々の窓口の受付時間を案内表示装置２へ出力する。
【００３０】
案内表示装置２において、制御部２１は、上位ホスト３から出力された受付時間が通信部２２に入力されると、表示指令を表示部２４へ出力し、その入力した受付時間を表示部２４に表示させる。以上に説明した一連の処理により、外来者が各々の窓口の受付時間を表示するための所定ボタンを操作すると、図１０に示すように、各々の窓口の受付時間が案内表示装置２の表示部２４に表示されることになる。また、この場合、受付時間が早く終了する窓口から優先して訪問するように案内する案内ガイダンスが表示部２４に表示されても良い。
【００３１】
次に、外来者が訪問する必要のあるものの未だ訪問していない未訪問窓口を特定して表示する機能について、図１１及び図１２を参照して説明する。案内表示装置２において、制御部２１は、未訪問窓口の表示を要求するトリガが発生すると、ＩＣカード７から読取った目的情報及びカード識別ＩＤと装置ＩＤとが含まれた未訪問窓口表示要求を通信部２２からＬＡＮ４を介して上位ホスト３へ出力させる。この場合、未訪問窓口の表示を要求するトリガとしては例えば外来者が案内表示装置２に配置されている所定ボタン（図示せず）を操作することなどである。また、この場合も、トリガの発生を条件とすることなく上記した案内情報を表示する処理を正常に終了した後に外来者が訪問する必要のあるものの未だ訪問していない未訪問窓口を特定して表示する処理を自動的に開始する構成であっても良い。
【００３２】
上位ホスト３は、案内表示装置２から出力された未訪問窓口表示要求が入力されると、
その入力した訪問窓口表示要求から目的情報を抽出し、読取履歴要求を各々の窓口に設置されている他の案内表示装置２のうち目的情報に該当する（外来者が訪問する必要のある）案内表示装置２へ出力する。
【００３３】
上位ホスト３から読取履歴要求を入力した案内表示装置２は、例えば所定時間前に遡って所定時間前から現時点までのリーダライタ２３の読取履歴を抽出し、その抽出した読取履歴をＬＡＮ４を介して上位装置３へ出力する。そして、上位ホスト３は、目的情報に該当する複数の案内表示装置２から出力された各々の案内表示装置２の読取履歴が入力されると、その入力した読取履歴に含まれているカード識別ＩＤと未訪問窓口表示要求に含まれているカード識別ＩＤとを照合し、外来者が訪問する必要のあるものの未だ訪問していない未訪問窓口を特定し、その特定した未訪問窓口を案内表示装置２へ出力する。
【００３４】
案内表示装置２において、制御部２１は、上位ホスト３から出力された未訪問窓口が通信部２２に入力されると、表示指令を表示部２４へ出力し、その入力された未訪問窓口を表示部２４に表示させる。以上に説明した一連の処理により、外来者が未訪問窓口の表示を要求するための所定ボタンを操作すると、図１２に示すように、未訪問窓口が案内表示装置２の表示部２４に表示されることになる。
【００３５】
尚、上記した各々の窓口の混雑状況を収集して表示する機能、各々の窓口の受付時間を収集して表示する機能及び外来者が訪問する必要のあるものの未だ訪問していない未訪問窓口を特定して表示する機能が相互に関連する構成であっても良い。具体的には、上位ホスト３において、各々の窓口の混雑状況、各々の窓口の受付時間及び外来者が訪問する必要のあるものの未だ訪問していない未訪問窓口を総合的に判断して最適な訪問順序を決定し、図１３に示すように、その決定した最適な訪問順序を案内表示装置２の表示部２４に表示させる構成であっても良い。
【００３６】
以上に説明したように本実施形態によれば、案内表示システム１において、外来者が携帯しているＩＣカード７に記録されている目的情報が案内表示装置２のリーダライタ２３により読取られると、リーダライタ２３の設置場所、つまり、外来者がＩＣカード７に記録されている目的情報を読取らせた場所から目的情報に対応する窓口（外来者が目的を達成し得る窓口）までの移動経路を表す見取り図を表示するように構成したので、外来者にとって有効な情報を提供することができ、外来者の利便性を高めることができる。
【００３７】
本発明は、上記した実施形態にのみ限定されるものではなく、以下のように変形または拡張することができる。
市役所に適用される構成に限らず、他の建物または他の施設に適用される構成であっても良い。例えばテーマパークに適用される構成では、目的情報として所望のアトラクションが記録されていれば、案内表示装置の設置場所から所望のアトラクションまでの移動経路を入場者に提供することが可能となる。
【００３８】
移動経路を表す見取り図を表示する構成に限らず、例えば「１００メートル先を右折」などの移動経路を文字ガイダンスにより表示する構成であっても良い。
記録媒体がＩＣカードであると共により読取手段がリーダライタである構成に限らず、記録媒体が携帯電話機や携帯情報端末であると共に読取手段が近距離無線通信手段（例えばBluetooth（登録商標）、無線ＬＡＮまたは赤外線通信を実現する手段）であり、携帯電話機や携帯情報端末に記憶されている目的情報が近距離無線通信により（電磁的に）読取られる構成であっても良い。また、記録媒体が携帯電話機や携帯情報端末であると共に読取手段が撮影手段であり、携帯電話機の表示部や携帯情報端末の表示部に例えば二次元コードや一次元コードの情報コードで表示されている目的情報が光学的に読取られる構成であっても良い。さらに、記録媒体が紙であると共に読取手段が撮影手段であり、紙に例えば二次元コードや一次元コードの情報コードで印刷されている目的情報が光学的に読取られる構成であっても良い。
【００３９】
上位ホストが案内情報を作成する処理を行う構成に限らず、案内表示装置が案内情報を作成する処理を行う構成であっても良い。案内情報、各々の窓口の混雑状況、各々の窓口の受付時間及び外来者が訪問する必要のあるものの未だ訪問していない未訪問窓口を外来者に報知する態様としては、音声出力により報知する態様であっても良く、また、表示と音声出力とを併用して報知する態様であっても良い。
【００４０】
目的情報が記録媒体に記録される態様としては、外来者が例えば自宅などで書込端末を用いて書込む態様であっても良いし、外来者が市役所を訪問したときに職員が玄関（建物の入口）で書込む態様であっても良い。また、記録媒体は、外来者の所持品であっても良いし、建物または施設から外来者が訪問している間のみ外来者に貸与されるものであっても良い。
【図面の簡単な説明】
【００４１】
【図１】本発明の一実施形態の全体構成を示す機能ブロック図
【図２】案内表示装置及びＩＣカードの機能ブロック図
【図３】案内表示装置の設置態様を概略的に示す図
【図４】案内表示装置及び上位ホストの処理を示すフローチャート
【図５】シーケンス図
【図６】案内情報の表示態様の一例を示す図
【図７】図５相当図
【図８】混雑状況の表示態様の一例を示す図
【図９】図５相当図
【図１０】受付時間の表示態様の一例を示す図
【図１１】図５相当図
【図１２】未訪問場所の表示態様の一例を示す図
【図１３】最適な訪問順序の表示態様の一例を示す図
【符号の説明】
【００４２】
図面中、１は案内表示システム（案内報知システム）、３は上位ホスト（案内情報作成手段、混雑状況収集手段、未訪問場所特定手段）、５は移動経路データベース（移動経路保持手段）、６は見取り図データベース（見取り図保持手段）、７はＩＣカード（記録媒体）、２３はリーダライタ（読取手段）、２４は表示部（案内情報報知手段、混雑状況報知手段、未訪問場所報知手段）である。
【図１】
2007079780.tif 000003
【図２】
2007079780.tif 000004
【図３】
2007079780.tif 000005
【図４】
2007079780.tif 000006
【図５】
2007079780.tif 000007
【図６】
2007079780.tif 000008
【図７】
2007079780.tif 000009
【図８】
2007079780.tif 000010
【図９】
2007079780.tif 000011
【図１０】
2007079780.tif 000012
【図１１】
2007079780.tif 000013
【図１２】
2007079780.tif 000014
【図１３】
2007079780.tif 000015